(57)【要約】【課題】  外郭筐体鋼板を薄板化し、軽量化を図ったとしても、外郭筐体を天井面内に設置する取付金具を的確に外郭筐体に固着することができる天井埋込形空気調和機を提供することを目的とする。【解決手段】  板厚が厚く形成された取付金具１２の切り起こし片１２ｄに螺子孔１２ｅを設けるとともに、取付金具１２の中央部片１２ａと切り起こし片１２ｄとで外郭筐体１の鋼板を挟み込み、螺子１４を外郭筐体１の螺子挿通孔１ｃに挿通させ、取付金具１２の切り起こし片１２ｄに穿設された螺子孔１２ｅに螺合させることにより、螺子孔１２ｅにおける螺子切れ、あるいは螺子バカの発生を極力防止し、的確に取付金具１２を外郭筐体１に固着する。また、これにより外郭筐体１は極力薄い鋼板を使用することができ、薄板化で重量を低減することにより、極力、天井埋込形空気調和機の軽量化を図る。【選択図】図４
2009079826.tif 000002
【特許請求の範囲】
【請求項１】
外郭筐体の周辺に固着した複数の取付金具を、天井裏壁面から吊り下げられた複数の吊りボルトに取付けることにより、天井面に設置される天井埋込形空気調和機において、
前記取付金具に、螺子孔を備えた切り起こし片を設ける一方、前記外郭筐体に、前記切り起こし片が挿通する取付孔と、前記螺子孔に対応する螺子挿通孔を設け、前記取付孔に前記切り起こし片を挿通させ、螺子を前記螺子挿通孔に挿通させるとともに前記切り起こし片の螺子孔に螺合させることにより、前記取付金具を前記外郭筐体に固着してなることを特徴とする天井埋込形空気調和機。
【発明の詳細な説明】
【技術分野】
【０００１】
本発明は、天井埋込形空気調和機に関わり、より詳細には、外郭筐体に備えられ、同外郭筐体を天井裏壁面と天井面との間に固定する取付金具の構成に関する。
【背景技術】
【０００２】
従来の天井埋込形空気調和機も、本願による天井埋込形空気調和機と基本的構成は同一なので図１を用いて説明する。図１で示す天井埋込形空気調和機は、天井裏壁面４０と天井面４１との間に吊り下げ設置された外郭筐体１と、同外郭筐体１に装着され、中央部に開閉自在な吸込グリル４を備えた化粧パネル２とで構成されており、同化粧パネル２は室内の天井面４１を覆うとともに、四囲に風向偏向板５ａを備えた吹出口５を形成している。前記吸込グリル４と前記吹出口５とを結ぶ空気流路には、ファンモータ７により駆動される遠心ファン６と、同遠心ファン６を囲繞するように熱交換器８が配設されており、前記吸込グリル４から吸込まれた室内の空気は前記遠心ファン６により前記熱交換器８に送出され、これを通過して熱交換された後、前記吹出口５から再び室内に送出されるようになっている。
【０００３】
前記吸込グリル４と前記遠心ファン６との間には、吸込まれた空気を整流して前記遠心ファン６に円滑に導びくリング状に形成されたベルマウス９が設けられており、また、外郭筐体１内には、前記熱交換器８から滴下する凝縮水を受ける露受皿と、同露受皿に貯留された凝縮水を吸引し、ドレンホースに送出するドレンポンプとを備えた露受皿ユニット１０が、同外郭筐体１に対し着脱自在に設けられている。
【０００４】
天井埋込形空気調和機を室内に据付ける際は、まず前記遠心ファン６及び熱交換器８を内部に配設した前記外郭筐体１を、同外郭筐体１の側面に備えられた取付金具１２を天井内壁面４０に埋め込まれた吊下げボルト１１に固定することにより天井面４１内に吊り下げ設置し、次に、前記化粧パネル２を下方から引き上げて螺子止めにより前記外郭筐体１に装着するようになっている。
【０００５】
次に、従来の取付金具の外郭筐体への固着構造を図５を用い、また、符号を換えて説明する。図５で示すように、断面コ字状に形成された取付金具４１の中央部には、上下一対に螺子挿通孔４１ａが穿設され、外郭筐体４０には、螺子挿通孔４１ａに対応して上下一対の螺子孔４０ａが穿設されている。取付金具４１を外郭筐体４０に固着する際は、これら螺子挿通孔４１ａ及び螺子孔４０ａを位置合わせし、螺子挿通孔４１ａに螺子１４を挿通させるとともに螺子孔４０ａに螺合させるようになっている。
【０００６】
他の従来例として、例えば特許文献１で示されているように、取付金具の中央部に切欠きと連通する長孔を形成し、同長孔に吊下げボルトを挿通させる一方、取付金具の両側にフランジを延出し、同フランジを外郭筐体に螺着して固着強度を向上させた技術が提示されている。
【０００７】
しかしながら近年、天井埋込形空気調和機の軽量化の要望に伴い、外郭筐体鋼板の薄板化が検討されるようになってきている。これに対し、説明した構造では、螺子孔４０ａを穿設した外郭筐体４０の鋼板を薄板化すると、螺子１４を締めつけた際、螺子孔４０ａにおいて螺子切れ、あるいは螺子バカを発生させる虞があり、これに伴って外郭筐体４０の安全な設置にも問題を生じる虞があるため、対策が望まれていた。
【特許文献１】特開平５−１４１６９８号（３頁、図１）
【発明の開示】
【発明が解決しようとする課題】
【０００８】
本発明は、上記問題点に鑑み、外郭筐体鋼板を薄板化し、軽量化を図ったとしても、外郭筐体を天井面内に設置する取付金具を的確に固着することができる天井埋込形空気調和機を提供することを目的とする。
【課題を解決するための手段】
【０００９】
本発明は、上記課題を解決するため、外郭筐体の周辺に固着した複数の取付金具を、天井裏壁面から吊り下げられた複数の吊りボルトに取付けることにより、天井面に設置される天井埋込形空気調和機において、前記取付金具に、螺子孔を備えた切り起こし片を設ける一方、前記外郭筐体に、前記切り起こし片が挿通する取付孔と、前記螺子孔に対応する螺子挿通孔を設け、前記取付孔に前記切り起こし片を挿通させ、螺子を前記螺子挿通孔に挿通させるとともに前記切り起こし片の螺子孔に螺合させることにより、前記取付金具を前記外郭筐体に固着してなる構成となっている。
【発明の効果】
【００１０】
本発明によると、板厚が厚く形成された取付金具の切り起こし片に螺子孔を設けるとともに、取付金具の中央部片と切り起こし片とで外郭筐体の鋼板を挟み込み、螺子を外郭筐体の螺子挿通孔に挿通させ、取付金具の切り起こし片に穿設された螺子孔に螺合させることにより、螺子孔における螺子切れ、あるいは螺子バカの発生を極力防止し、的確に取付金具を外郭筐体に固着することができるようになっている。また、これにより外郭筐体は極力薄い鋼板を使用することができ、薄板化で重量を低減することにより、極力、天井埋込形空気調和機の軽量化を図ることができるようになっている。
【発明を実施するための最良の形態】
【００１１】
以下、本発明の実施の形態を、添付図面に基づいた実施例として詳細に説明する。
【実施例１】
【００１２】
図１は天井埋込形空気調和機の断面図であり、図２は天井面内に設置される外郭筐体の斜視図である。図３は取付金具の固着を示す斜視図であり、図４（Ａ）〜図４（Ｃ）は取付金具の固着手順を示す断面図である。
【００１３】
本発明による天井埋込形空気調和機は、図１の断面図で示すように、天井裏壁面４０に埋め込まれた複数の吊りボルト１１に、外郭筐体１の側面に複数備えられた取付金具１２を螺着させることにより、天井裏壁面４０と天井面４１との間に吊り下げ設置された多角形状の外郭筐体１と、同外郭筐体１の下面に螺子３９により装着され、室内の天井面を覆う化粧パネル２とで構成されている。
【００１４】
従来例で説明した構成と同様に、前記化粧パネル２の中央部には矩形状の開口部が設けられ、同開口部には複数の桟からなる格子状の吸込口を形成するとともに、同吸込口の裏面に不織布等からなるフィルタ４を着脱自在に装着した吸込グリル３が、一側端縁を回動自在に軸支されることにより開閉自在に設けられている。また、前記化粧パネル２の四側周縁には、風向偏向板５ａを備えた吹出口５が複数形成されている。前記吸込グリル３と前記吹出口５とを結ぶ、矢印で示す空気流路には、ファンモータ７により回転駆動される遠心ファン６と、同遠心ファン６を囲繞するように、平行に並べられた多数のフィンと、同フィンに直交するように蛇行状に配設された伝熱管とからなる熱交換器８が配設されている。前記吸込グリル３から吸込まれた室内の空気は前記熱交換器８に向かい送出され、これを通過することにより熱交換されて前記吹出口５から再び室内に送出されるようになっている。
【００１５】
また、前記吸込グリル４と前記遠心ファン６との間には、吸込まれた空気を整流して前記遠心ファン６に円滑に導びくリング状に形成されたベルマウス９が設けられており、また、外郭筐体１内には、前記熱交換器８から滴下する凝縮水を受ける露受皿と、同露受皿に貯留された凝縮水を吸引し、ドレンホースに送出するドレンポンプとを備えた露受皿ユニット１０が、同外郭筐体１に対し着脱自在に設けられている。
【００１６】
天井面４１と天井裏壁面４０との間に吊下設置される前記外郭筐体１は、図２の斜視図で示すように、角部が斜面となった略八角形状に形成され、複数の角部斜面には、外形がコ字状に形成された取付金具１２が固着されている。また、角部一側からは前記熱交換器８に接続される配管１３が導出されており、下面には前記吹出口５に連通する複数の流出口１ａが形成されている。また、同外郭筐体１に使用される鋼板は、例えば、従来は０．８ｍｍ厚の鋼板が使用されていたが、空気調和機としての天井埋込形空気調和機の軽量化を図るため、０．４ｍｍ厚の鋼板に変更されており、これにより外郭筐体１では、重量が従来に比較して約半分程度となっている。
【００１７】
前記外郭筐体１に固着される取付金具１２は、図３（Ａ）の斜視図で示すように、縦長状の中央部片１２ａと、同中央部片１２ａの上端から前方へ折曲され、前記吊りボルト１１が挿通する切欠きを形成した上部片１２ｂと、前記中央部片１２ａの下端から前方へ折曲され螺子挿通孔１２ｇ及び螺子孔１２ｆを穿設した下部片１２ｃとで断面コ字状に形成されている。前記中央部片１２ａには、後方に向け断面略Ｌ字状に折曲された切り起こし片１２ｄが上下一対となって形成されており、同切り起こし片１２ｄには、螺子孔１２ｅが夫々穿設されている。尚、同取付金具１２は、例えば、外郭筐体の鋼板より４倍厚く、剛性に優れた１．６ｍｍ厚の鋼板により形成されている。尚、前記切り起こし片１２ｄは、取付強度を高めるため上下一対となって設けられているが、これに限定されるものでなく、単独で設けてもよい。
【００１８】
前記外郭筐体１の複数の角部斜面には、図３（Ｂ）で示すように、前記切り起こし片１２ｄの螺子孔１２ｅに対応して上下一対の螺子挿通孔１ｃが穿設され、また、同螺子挿通孔１ｃの下方には矩形状の取付孔１ｂが夫々穿設されている。尚、図４（Ａ）で示すように、同取付孔１ｂの高さ寸法Ｃは、前記切り起こし片１２ｄの高さ寸法Ｂに対しＣ＞Ｂとなるように設定されている。
【００１９】
前記取付金具１２を前記外郭筐体１に装着する際は、図３（Ｃ）に示すように、取付金具１２の上下一対となった切り起こし片１２ｄを外郭筐体１の上下一対となった取付孔１ｂに夫々挿通させるようになっている。
【００２０】
次に、前記取付金具１２の外郭筐体１への固着手順について説明する。図４（Ａ）で示すように、取付金具１２には、上記したように、後方に向け断面略Ｌ字状に折曲され、螺子孔１２ｅを穿設した切り起こし片１２ｄが上下一対となって形成されている。まず、同切り起こし片１２ｄを外郭筐体１に穿設された取付孔１ｂに夫々通す。次に、前記切り起こし片１２ｄが外郭筐体１の鋼板裏面に位置した状態で、図４（Ｂ）の矢印で示すように取付金具１２を上方に向かいスライドさせ、外郭筐体１の螺子挿通孔１ｃと、切り起こし片１２ｄの螺子孔１２ｅとを一致させる。この際、前記切り起こし片１２ｄの前記中央部片１２ａとの隙間寸法は外郭筐体鋼板の厚さの１〜１．２倍に設定されている。
【００２１】
次に、螺子１４を、図４（Ｃ）で示すように、前記外郭筐体１の螺子挿通孔１ｃに挿通させるとともに、取付金具１２の螺子孔１２ｅに螺合させる。これにより、前記取付金具１２は前記外郭筐体１に堅固に固着されるようになっている。
【００２２】
以上、説明したように、板厚が厚く剛性が高い取付金具１２の切り起こし片１２ｄに螺子孔１２ｅを設け、取付用の螺子１４を螺合させることにより、同螺子孔１２ｅにおける螺子切れ、あるいは螺子バカの発生を極力防止し、的確に取付金具１２を外郭筐体１に固着することができるようになっている。また、これにより外郭筐体１は極力薄い鋼板を使用することができ、薄板化で重量を低減することにより、極力、空気調和機としての天井埋込形空気調和機の重量低減を図ることができるようになっている。
【図面の簡単な説明】
【００２３】
【図１】天井埋込形空気調和機の断面図である。
【図２】天井面内に設置される外郭筐体の斜視図である。
【図３】取付金具の外郭筐体への固着を示す斜視図である。
【図４】（Ａ）〜（Ｃ）は取付金具の外郭筐体への固着手順を示す断面図である。
【図５】従来の取付金具の外郭筐体への固着を示す断面図である。
【符号の説明】
【００２４】
１  外郭筐体
１ａ  流出口
１ｂ  取付孔
１ｃ  螺子挿通孔
２  化粧パネル
３  吸込グリル
４  フィルタ
５  吹出口
５ａ  風向偏向板
６  遠心ファン
７  ファンモータ
８  熱交換器
９  ベルマウス
１０  露受皿ユニット
１１  吊りボルト
１２  取付金具
１２ａ  中央部片
１２ｂ  上部片
１２ｃ  下部片
１２ｄ  切り起こし片
１２ｅ  螺子孔
１２ｆ  螺子孔
１２ｇ  螺子挿通孔
１３  配管
１４  螺子
３９  螺子
４０  天井裏壁面
４１  天井面
【図１】
2009079826.tif 000003
【図２】
2009079826.tif 000004
【図３】
2009079826.tif 000005
【図４】
2009079826.tif 000006
【図５】
2009079826.tif 000007